(57)【要約】      （修正有）【課題】ベルト伝動によって指針を継続的に安定に回転させ、同時に灯された表示ランプを段々に遮ることによって時間の流れを表示し、表示ランプの色によって人々の注意を引くことができる三色時間表示掛け時計を提供する。【解決手段】掛け時計１１の中には前に開口する指針チャンバが設置されており、指針チャンバの中には指針装置と表示装置が設置されており、指針チャンバの後側の内壁の中には伝動装置が設置されており、掛け時計１１の中には掛けチャンバ１２が前後に貫通して設置されており、掛けチャンバ１２の中には掛け装置１０３が設置されており、伝動装置は指針チャンバの後側の内壁の中に設置される伝動チャンバを含み、結構が簡単で、操作が便利で、ベルト伝動によって指針を安定に回転連動させ、同時に灯されるランプが段々に遮られることによって時間の流れを表示し、それにランプの色によって時間に対する注意を喚起する。【選択図】図１
2020177003.tif 000002
【特許請求の範囲】
【請求項１】
三色時間表示掛け時計であって、掛け時計を含み、前記掛け時計の中には前に開口する指針チャンバが設置されており、前記指針チャンバの中には指針装置と表示装置が設置されており、前記指針チャンバの後側の内壁の中には伝動装置が設置されており、前記掛け時計の中には掛けチャンバが前後に貫通して設置されており、前記掛けチャンバの中には掛け装置が設置されており、前記伝動装置は前記指針チャンバの後側の内壁の中に設置される伝動チャンバを含み、前記伝動チャンバの中にはモーター軸が回転できるように設置されており、前記伝動チャンバの後側の内壁の中にはモーターが固定的に設置されており、前記モーター軸が前記モーターと伝動できるように接続されており、前記モーター軸には階段軸が固定的に接続されており、前記伝動チャンバの中の上側には高速輪が回転できるように設置されており、前記高速輪と前記階段軸の間には高速ベルトが接続されており、前記高速輪の前側には中速輪が回転できるように設置されており、前記中速輪と前記階段軸の間には中速ベルトが接続されており、前記中速輪の前側には低速輪が回転できるように設置されており、前記低速輪と前記階段軸の間には低速ベルトが接続されており、前記低速輪の前端には時針軸が固定的に接続されており、前記時針軸の前端が前記指針装置と前記表示装置に接続されており、前記時針軸の中には分針軸チャンバが前後に貫通して設置されており、前記分針チャンバが前記低速輪を貫通し、前記中速輪の前端には分針軸が固定的に接続され、前記分針軸が前記分針軸チャンバを貫通して前記指針装置に接続されており、前記分針軸の中には秒針軸チャンバが前後に貫通して設置されており、前記秒針チャンバが前記中速輪を貫通しており、前記高速輪の前端には秒針軸が固定的に接続され、前記秒針軸が前記秒針軸チャンバを貫通して前記指針装置に接続され、
前記モーターを始動し、ベルト伝動によって前記指針装置を駆動することを特徴とする三色時間表示掛け時計。
【請求項２】
前記指針装置は前記指針チャンバの中に固定的に設置されるガラスを含み、前記ガラスの後端には連接ブロックが固定的に接続され、前記秒針軸の前端には前記連接ブロックが回転できるように接続されており、前記秒針軸には秒針が固定的に接続されており、前記秒針の前端面には黄色ランプが固定的に設置されており、前記分針軸の前端が前記指針チャンバの中に挿入されて分針と固定的に接続されており、前記分針のうち前記分針軸から離れている一端が前記表示装置に接続されており、前記時針軸の前端が前記指針チャンバの中に挿入されて時針と固定的に接続されており、前記表示装置が前記時針軸と回転できるように接続され、
前記伝動装置は前記秒針と、前記分針及び前記時針を継続的に安定に回転連動させ、同時に前記分針によって前記表示装置を駆動することを特徴とする請求項１に記載の三色時間表示掛け時計。
【請求項３】
前記表示装置は前記指針チャンバの内壁に固定的に接続される緑ランプと赤ランプを含み、前記緑ランプと前記赤ランプとが左右に対称しており、前記緑ランプと前記赤ランプのうち中心に近接している一端には外環が固定的に接続され、前記時針軸において前記外環に正対して数字ボードが回転できるように接続されており、前記数字ボードと前記外環の間には隙間があり、前記分針のうち中心から離れている一端には止めリングが固定的に接続されており、前記止めリングのうち中心から離れている一端が前記指針チャンバの円周の内壁に当接し、前記止めリングの後端が前記緑ランプと赤ランプと当接し、前記止めリングの中には前且つ中心に開口した秒針溝が設置されており、前記分針の後端にはリンクが固定的に接続されており、前記リンクの後端が前記隙間を貫通して絶縁ブロックと固定的に接続され、前記絶縁ブロックの前端にはスライド電気伝導ブロックが固定的に接続されており、前記緑ランプの後端面の中には前記スライド電気伝導ブロックに正対して右電気伝導ブロックが固定的に設置されており、前記赤ランプの後端面の中には前記スライド電気伝導ブロックに正対して左電気伝導ブロックが固定的に設置され、
前記分針は前記止めリングを回転連動させて前記緑ランプと前記赤ランプを周期的に遮り、同時に前記リンクと前記絶縁ブロックによって前記スライド電気伝導ブロックを前記右電気伝導ブロックと、前記左電気伝導ブロックと接触連動させ、それにより前記緑ランプと前記赤ランプを周期的に灯すことを特徴とする請求項１又は請求項２に記載の三色時間表示掛け時計。
【請求項４】
前記掛け装置は前記掛けチャンバの中に回転できるように設置される外挟みブロックを含み、前記外挟みブロックの中には回転チャンバが右に開口して設置されており、前記回転チャンバの前後の両側の内壁の間には固定棒が固定的に接続されており、前記固定棒には内挟みブロックが回転できるように接続されており、前記内挟みブロックの中には固定棒穴が前後に貫通して設置されており、前記固定棒が前記固定棒穴を貫通しており、前記内挟みブロックの前後の両端と前記回転チャンバの前後の両側の内壁との間にはねじりバネが固定的に接続されており、前記内挟みブロックの上端と前記掛けチャンバの上側の内壁の間には前後に対称して挟み撥条が固定的に接続され、
使用する時、前記外挟みブロックと前記内挟みブロックの間の回転によって異なる太さの時計を長押に掛けられ、同時に前記挟み撥条によって挟み、掛け時計を揺れないようにすることを特徴とする請求項１に記載の三色時間表示掛け時計。
【発明の詳細な説明】
【技術分野】
【０００１】
本発明は時計分野を取り上げて、具体的には三色時間表示掛け時計である。
【背景技術】
【０００２】
一般的な時計は三本の指針によって時間を表示し、人々の注意を引くことができなく、そのため色を変えることによって時間を表示する掛け時計を設計するのは必要があり、本発明の装置はベルト伝動によって指針を継続的に安定に回転させ、同時に灯された表示ランプを段々に遮ることによって時間の流れを表示し、表示ランプの色によって人々の注意を引くことができる。
【先行技術文献】
【特許文献】
【０００３】
【特許文献１】中国特許出願公開第103135431号明細書
【発明の概要】
【発明が解決しようとする課題】
【０００４】
本発明の解決すべきの技術問題は三色時間表示掛け時計を提供し、それは上記現有の技術問題を解決できる。
【課題を解決するための手段】
【０００５】
本発明における三色時間表示掛け時計は、掛け時計を含み、前記掛け時計の中には前に開口する指針チャンバが設置されており、前記指針チャンバの中には指針装置と表示装置が設置されており、前記指針チャンバの後側の内壁の中には伝動装置が設置されており、前記掛け時計の中には掛けチャンバが前後に貫通して設置されており、前記掛けチャンバの中には掛け装置が設置されており、前記伝動装置は前記指針チャンバの後側の内壁の中に設置される伝動チャンバを含み、前記伝動チャンバの中にはモーター軸が回転できるように設置されており、前記伝動チャンバの後側の内壁の中にはモーターが固定的に設置されており、前記モーター軸が前記モーターと伝動できるように接続されており、前記モーター軸には階段軸が固定的に接続されており、前記伝動チャンバの中の上側には高速輪が回転できるように設置されており、前記高速輪と前記階段軸の間には高速ベルトが接続されており、前記高速輪の前側には中速輪が回転できるように設置されており、前記中速輪と前記階段軸の間には中速ベルトが接続されており、前記中速輪の前側には低速輪が回転できるように設置されており、前記低速輪と前記階段軸の間には低速ベルトが接続されており、前記低速輪の前端には時針軸が固定的に接続されており、前記時針軸の前端が前記指針装置と前記表示装置に接続されており、前記時針軸の中には分針軸チャンバが前後に貫通して設置されており、前記分針チャンバが前記低速輪を貫通し、前記中速輪の前端には分針軸が固定的に接続され、前記分針軸が前記分針軸チャンバを貫通して前記指針装置に接続されており、前記分針軸の中には秒針軸チャンバが前後に貫通して設置されており、前記秒針チャンバが前記中速輪を貫通しており、前記高速輪の前端には秒針軸が固定的に接続され、前記秒針軸が前記秒針軸チャンバを貫通して前記指針装置に接続され、
前記モーターを始動し、ベルト伝動によって前記指針装置を駆動する。
【０００６】
更なる技術方案、前記指針装置は前記指針チャンバの中に固定的に設置されるガラスを含み、前記ガラスの後端には連接ブロックが固定的に接続され、前記秒針軸の前端には前記連接ブロックが回転できるように接続されており、前記秒針軸には秒針が固定的に接続されており、前記秒針の前端面には黄色ランプが固定的に設置されており、前記分針軸の前端が前記指針チャンバの中に挿入されて分針と固定的に接続されており、前記分針のうち前記分針軸から離れている一端が前記表示装置に接続されており、前記時針軸の前端が前記指針チャンバの中に挿入されて時針と固定的に接続されており、前記表示装置が前記時針軸と回転できるように接続され、
前記伝動装置は前記秒針と、前記分針及び前記時針を継続的に安定に回転連動させ、同時に前記分針によって前記表示装置を駆動する。
【０００７】
更なる技術方案、前記表示装置は前記指針チャンバの内壁に固定的に接続される緑ランプと赤ランプを含み、前記緑ランプと前記赤ランプとが左右に対称しており、前記緑ランプと前記赤ランプのうち中心に近接している一端には外環が固定的に接続され、前記時針軸において前記外環に正対して数字ボードが回転できるように接続されており、前記数字ボードと前記外環の間には隙間があり、前記分針のうち中心から離れている一端には止めリングが固定的に接続されており、前記止めリングのうち中心から離れている一端が前記指針チャンバの円周の内壁に当接し、前記止めリングの後端が前記緑ランプと赤ランプと当接し、前記止めリングの中には前且つ中心に開口した秒針溝が設置されており、前記分針の後端にはリンクが固定的に接続されており、前記リンクの後端が前記隙間を貫通して絶縁ブロックと固定的に接続され、前記絶縁ブロックの前端にはスライド電気伝導ブロックが固定的に接続されており、前記緑ランプの後端面の中には前記スライド電気伝導ブロックに正対して右電気伝導ブロックが固定的に設置されており、前記赤ランプの後端面の中には前記スライド電気伝導ブロックに正対して左電気伝導ブロックが固定的に設置されている；前記分針は前記止めリングを回転連動させて前記緑ランプと前記赤ランプを周期的に遮り、同時に前記リンクと前記絶縁ブロックによって前記スライド電気伝導ブロックを前記右電気伝導ブロックと、前記左電気伝導ブロックと接触連動させ、それにより前記緑ランプと前記赤ランプを周期的に灯す。
【０００８】
更なる技術方案、前記掛け装置は前記掛けチャンバの中に回転できるように設置される外挟みブロックを含み、前記外挟みブロックの中には回転チャンバが右に開口して設置されており、前記回転チャンバの前後の両側の内壁の間には固定棒が固定的に接続されており、前記固定棒には内挟みブロックが回転できるように接続されており、前記内挟みブロックの中には固定棒穴が前後に貫通して設置されており、前記固定棒が前記固定棒穴を貫通しており、前記内挟みブロックの前後の両端と前記回転チャンバの前後の両側の内壁との間にはねじりバネが固定的に接続されており、前記内挟みブロックの上端と前記掛けチャンバの上側の内壁の間には前後に対称して挟み撥条が固定的に接続され、
使用する時、前記外挟みブロックと前記内挟みブロックの間の回転によって異なる太さの時計を長押に掛けられ、同時に前記挟み撥条によって挟み、掛け時計を揺れないようにする。
【発明の効果】
【０００９】
本発明の有益な効果は下記の通りである：
【００１０】
本発明は結構が簡単で、操作が便利で、ベルト伝動によって指針を安定に回転連動させ、同時に灯されるランプが段々に遮られることによって時間の流れを表示し、それにランプの色によって人々が時間に対する注意を引く。
【図面の簡単な説明】
【００１１】
【図１】図１は本発明の三色時間表示掛け時計の内部の構成模式図
【図２】図２は図１の「Ａ−Ａ」方向の構成模式図
【図３】図３は図１の「Ｂ−Ｂ」方向の構成模式図
【図４】図４は図２の「Ｃ」の拡大模式図
【発明を実施するための形態】
【００１２】
以下、図１−４について本発明を詳しく説明し、便利に叙述するように、現在は後文に出る方位を下記の通りに規定する：後文に出る上下左右前後方向は図１本体の投影関係の上下左右前後方向と一致する。
【００１３】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−４を参考して、本発明における三色時間表示掛け時計は、掛け時計１１を含み、前記掛け時計１１の中には前に開口する指針チャンバ２７が設置されており、前記指針チャンバ２７の中には指針装置１０１と表示装置１０２が設置されており、前記指針チャンバ２７の後側の内壁の中には伝動装置１００が設置されており、前記掛け時計１１の中には掛けチャンバ１２が前後に貫通して設置されており、前記掛けチャンバ１２の中には掛け装置１０３が設置されており、前記伝動装置１００は前記指針チャンバ２７の後側の内壁の中に設置される伝動チャンバ２９を含み、前記伝動チャンバ２９の中にはモーター軸３６が回転できるように設置されており、前記伝動チャンバ２９の後側の内壁の中にはモーター３４が固定的に設置されており、前記モーター軸３６が前記モーター３４と伝動できるように接続されており、前記モーター軸３６には階段軸３５が固定的に接続されており、前記伝動チャンバ２９の中の上側には高速輪３０が回転できるように設置されており、前記高速輪３０と前記階段軸３５の間には高速ベルト３１が接続されており、前記高速輪３０の前側には中速輪４１が回転できるように設置されており、前記中速輪４１と前記階段軸３５の間には中速ベルト３２が接続されており、前記中速輪４１の前側には低速輪４０が回転できるように設置されており、前記低速輪４０と前記階段軸３５の間には低速ベルト３３が接続されており、前記低速輪４０の前端には時針軸３７が固定的に接続されており、前記時針軸３７の前端が前記指針装置１０１と前記表示装置１０２に接続されており、前記時針軸３７の中には分針軸チャンバ４２が前後に貫通して設置されており、前記分針チャンバ４２が前記低速輪４０を貫通し、前記中速輪４１の前端には分針軸３８が固定的に接続され、前記分針軸３８が前記分針軸チャンバ４２を貫通して前記指針装置１０１に接続されており、前記分針軸３８の中には秒針軸チャンバ４３が前後に貫通して設置されており、前記秒針チャンバ４３が前記中速輪４１を貫通しており、前記高速輪３０の前端には秒針軸３９が固定的に接続され、前記秒針軸３９が前記秒針軸チャンバ４３を貫通して前記指針装置１０１に接続され、
前記モーター３４を始動し、ベルト伝動によって前記指針装置１０１を駆動する。
【００１５】
有益なように、前記指針装置１０１は前記指針チャンバ２７の中に固定的に設置されるガラス２６を含み、前記ガラス２６の後端には連接ブロック２５が固定的に接続され、前記秒針軸３９の前端には前記連接ブロック２５が回転できるように接続されており、前記秒針軸３９には秒針１９が固定的に接続されており、前記秒針１９の前端面には黄色ランプ２０が固定的に設置されており、前記分針軸３８の前端が前記指針チャンバ２７の中に挿入されて分針２３と固定的に接続されており、前記分針２３のうち前記分針軸３８から離れている一端が前記表示装置１０２に接続されており、前記時針軸３７の前端が前記指針チャンバ２７の中に挿入されて時針１８と固定的に接続されており、前記表示装置１０２が前記時針軸３７と回転できるように接続され、
前記伝動装置１００は前記秒針１９と、前記分針２３及び前記時針１８を継続的に安定に回転連動させ、同時に前記分針２３によって前記表示装置１０２を駆動する。
【００１６】
有益なように、前記表示装置１０２は前記指針チャンバ２７の内壁に固定的に接続される緑ランプ１６と赤ランプ１７を含み、前記緑ランプ１６と前記赤ランプ１７とが左右に対称しており、前記緑ランプ１６と前記赤ランプ１７のうち中心に近接している一端には外環１４が固定的に接続され、前記時針軸３７において前記外環１４に正対して数字ボード１３が回転できるように接続されており、前記数字ボード１３と前記外環１４の間には隙間１５があり、前記分針２３のうち中心から離れている一端には止めリング２１が固定的に接続されており、前記止めリング２１のうち中心から離れている一端が前記指針チャンバ２７の円周の内壁に当接し、前記止めリング２１の後端が前記緑ランプ１６と赤ランプ１７と当接し、前記止めリング２１の中には前且つ中心に開口した秒針溝２２が設置されており、前記分針２３の後端にはリンク２４が固定的に接続されており、前記リンク２４の後端が前記隙間１５を貫通して絶縁ブロック４６と固定的に接続され、前記絶縁ブロック４６の前端にはスライド電気伝導ブロック４７が固定的に接続されており、前記緑ランプ１６の後端面の中には前記スライド電気伝導ブロック４７に正対して右電気伝導ブロック４５が固定的に設置されており、前記赤ランプ１７の後端面の中には前記スライド電気伝導ブロック４７に正対して左電気伝導ブロック４４が固定的に設置され、
前記分針２３は前記止めリング２１を回転連動させて前記緑ランプ１６と前記赤ランプ１７を周期的に遮り、同時に前記リンク２４と前記絶縁ブロック４６によって前記スライド電気伝導ブロック４７を前記右電気伝導ブロック４５と、前記左電気伝導ブロック４４と接触連動させ、それにより前記緑ランプ１６と前記赤ランプ１７を周期的に灯す。
【００１７】
有益なように、前記掛け装置１０３は前記掛けチャンバ１２の中に回転できるように設置される外挟みブロック４８を含み、前記外挟みブロック４８の中には回転チャンバ４９が右に開口して設置されており、前記回転チャンバ４９の前後の両側の内壁の間には固定棒５２が固定的に接続されており、前記固定棒５２には内挟みブロック５３が回転できるように接続されており、前記内挟みブロック５３の中には固定棒穴５０が前後に貫通して設置されており、前記固定棒５２が前記固定棒穴５０を貫通しており、前記内挟みブロック５３の前後の両端と前記回転チャンバ４９の前後の両側の内壁との間にはねじりバネ５４が固定的に接続されており、前記内挟みブロック５３の上端と前記掛けチャンバ１２の上側の内壁の間には前後に対称して挟み撥条５１が固定的に接続され、
前記外挟みブロック４８と前記内挟みブロック５３の間の回転によって異なる太さの時計を長押に掛けられ、同時に前記挟み撥条５１によって挟み、掛け時計１１を揺れないように防止する。
【００１８】
使用する時、外挟みブロック２８と内挟みブロック５３の間の回転によって掛け時計１１を掛け、同時に挟み撥条５１によって掛け時計１１を揺れないように挟み、モーター３４を始動し、ベルト伝動によって時針軸３７と、分針軸３８及び秒針軸３９を連動させ、秒針軸３９と分針軸３８との回転速度比率及び分針軸３８と時針軸３７との回転速度比率はいずれも六十であり、それにより秒針１９と、分針２３及び時針１８を回転連動させ、その時黄色ランプ２０が消えずに輝いており、分針２３によって止めリング２１を回転連動させ、それによりリンク２４と絶縁ブロック４６によってスライド電気伝導ブロック４７を回転連動させ、スライド電気伝導ブロック４７と右電気伝導ブロック４５とが接触する時に緑ランプ１６を灯し、スライド電気伝導ブロック４７と左電気伝導ブロック４４と接触する時に赤ランプ１７を灯し、同時に止めリング２１は緑ランプ１６と赤ランプ１７を周期的に遮り、それにより緑ランプ１６と赤ランプ１７のうち止めリング２１に遮られない部分によって時間を表示し、時間の偏差が出る時、ガラス２６を取り外して手動に調整できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177003.tif 000003
【図２】
2020177003.tif 000004
【図３】
2020177003.tif 000005
【図４】
2020177003.tif 000006